(57)【要約】【課題】ＤＶＤ等の本類を安定した状態に保持できる本棚装置を提供する。【解決手段】本発明は、ＤＶＤ、ＣＤ、書物等の本類を収納する本棚装置を対象とする。この装置は、本類を起立姿勢で並列に配置可能な棚板５と、棚板上に立設され、かつ本類の並列方向一端側を掛止するための本掛止板８と、棚板５上における本類の並列方向他端側に立設され、かつ本類の並列方向に沿ってスライド自在な本止め具７と、本止め具７が本掛止板８に近づく方向へスライドするのを許容し、かつ逆方向にスライドするのを阻止するスライド制限手段と、操作部７５を有し、その操作部７５を操作することによって、スライド制限手段による逆方向のスライド阻止を解除して、本止め具７の逆方向へのスライドを許容するスライド制限解除手段とを備える。【選択図】      図１
2006034862.tif 000002
【特許請求の範囲】
【請求項１】
デジタルビデオディスク（ＤＶＤ）、コンパクトディスク（ＣＤ）、書物等の本類を収納するようにした本棚装置であって、
本類を起立姿勢で並列に配置可能な棚板と、
前記棚板上に立設され、かつ本類の並列方向一端側を掛止するための本掛止板と、
前記棚板上における本類の並列方向他端側に立設され、かつ本類の並列方向に沿ってスライド自在な本止め具と、
前記本止め具が前記本掛止板に近づく方向へスライドするのを許容し、かつ逆方向にスライドするのを阻止するスライド制限手段と、
操作部を有し、その操作部を操作することによって、前記スライド制限手段による逆方向のスライド阻止を解除して、前記本止め具の逆方向へのスライドを許容するスライド制限解除手段とを備える本棚装置。
【請求項２】
前記スライド制限手段は、
前記本止め具に設けられた係合部と、
前記棚板に設けられ、前記本止め具がスライド許容方向に移動する際には係合せずに、逆方向に移動する際には係合する被係合部とを有する請求項１に記載の本棚装置。
【請求項３】
前記棚板に本類並列方向に沿ってレール溝が設けられるとともに、
前記本止め具に、前記レール溝にスライド自在に収容されるスライダが設けられ、
前記係合部は、前記スライダの側部に出没自在に設けられ、かつ突出方向に付勢された係合爪によって構成され、
前記被係合部は、前記レール溝に沿って間隔おいて設けられ、かつ前記係合爪を係合可能な複数の係合溝によって構成され、
前記本止め具をスライド許容方向に操作した際には、前記係合爪が出没しつつ前記複数の係合溝を順送りに移動することにより、前記本止め具のスライド許容方向へのスライドが許容されるとともに、前記本止め具を逆方向に操作した際には、前記係合爪が前記係合溝に係合することにより、前記本止め具の逆方向へのスライドが阻止されるよう構成されてなる請求項２に記載の本棚装置。
【請求項４】
前記スライド制限解除手段は、その操作部として押込可能な操作ボタンを有し、
前記操作ボタンを押操作することによって、前記係合部及び前記被係合部間の係合が解除されるよう構成されてなる請求項２又は３に記載の本棚装置。
【請求項５】
上下に間隔をおいて水平に配置される複数の水平板と、
上下に隣合う水平板間に垂直に設けられる一対の仕切板とを更に備え、
前記一対の仕切板のうち一方の仕切板の中間に、上方に向けて開放する上方切欠部が形成されるとともに、他方の仕切板の中間に、下方に向けて開放する下方切欠部が形成され、
前記一対の仕切板が、互いの切欠部を嵌合させることにより相欠き接合されて交差した状態に配置される一方、
前記複数の水平板によって前記棚板が構成され、
前記仕切板によって前記本掛止板が構成されてなる請求項１ないし４のいずれかに記載の本棚装置。
【発明の詳細な説明】
【技術分野】
【０００１】
この発明は、例えば映像用記録媒体としてのデジタルビデオディスク（ＤＶＤ）や、音楽用、コンピュータ用、ゲーム用記録媒体としてのコンパクトディスク（ＣＤ）等のディスクの他、書物等の本類を収納するのに適した小物収納ラック等の本棚装置に関する。
【背景技術】
【０００２】
従来、棚板上に本の配列方向に沿ってスライド自在にブックエンド等の本止め具が取り付けられた本棚装置が周知である。
【０００３】
例えば下記特許文献１に示す本棚装置は、棚板にレール溝が設けられるとともに、その溝内にブックエンド（本止め具）がスライド自在に取り付けられたものを開示している。
【０００４】
また下記特許文献２に示す本棚装置は、本棚の背壁や棚板に、レール溝が設けられるとともに、その溝内にワイヤーフレームからなる本止め枠（本止め具）がスライド自在に取り付けられたものを開示している。
【特許文献１】特開２００２−６５３７３号公報（図１−３）
【特許文献２】実開昭５６−７４７７２号公報（図１−５）
【発明の開示】
【発明が解決しようとする課題】
【０００５】
しかしながら、上記特許文献１、２に示す従来の本棚装置は、本止め具をレール溝にスライド自在に取り付けるだけのものであるため、棚上に収納された本を本止め具によって抑止したとしても、その抑圧に対する反発力等によって、本止め具が抑止方向に対し逆方向に押されてスライドしてしまい、本の抑止が不十分となり、本を安定した状態に保持できないという問題が発生する。
【０００６】
この発明は、上記従来技術の問題を解消し、本類を安定した状態に保持できる本棚装置を提供することを目的とする。
【課題を解決するための手段】
【０００７】
上記目的を達成するため、本発明は以下の構成を要旨としている。
【０００８】
［１］  デジタルビデオディスク（ＤＶＤ）、コンパクトディスク（ＣＤ）、書物等の本類を収納するようにした本棚装置であって、
本類を起立姿勢（垂直姿勢）で並列に配置可能な棚板と、
前記棚板上に立設され、かつ本類の並列方向一端側を掛止するための本掛止板と、
前記棚板上における本類の並列方向他端側に立設され、かつ本類の並列方向に沿ってスライド自在な本止め具と、
前記本止め具が前記本掛止板に近づく方向へスライドするのを許容し、かつ逆方向にスライドするのを阻止するスライド制限手段と、
操作部を有し、その操作部を操作することによって、前記スライド制限手段による逆方向のスライド阻止を解除して、前記本止め具の逆方向へのスライドを許容するスライド制限解除手段とを備える本棚装置。
【０００９】
［１ａ］  前記本止め具は、棚板の上面に設けられている前項１に記載の本棚装置。
【００１０】
［１ｂ］  前記本止め具がプラスチック成形品をもって構成されてなる前項１に記載の本棚装置。
【００１１】
［１ｃ］  前記棚板がプラスチック成形品をもって構成されてなる前項１に記載の本棚装置。
【００１２】
［１ｄ］  前記本掛止板がプラスチック成形品をもって構成されてなる前項１に記載の本棚装置。
【００１３】
［１ｅ］  前記本掛止板が前記本棚に対し位置固定されてなる前項１に記載の本棚装置。
【００１４】
［２］  前記スライド制限手段は、
前記本止め具に設けられた係合部と、
前記棚板に設けられ、前記本止め具がスライド許容方向に移動する際には係合せずに、逆方向に移動する際には係合する被係合部とを有する前項１に記載の本棚装置。
【００１５】
［３］  前記棚板に本類並列方向に沿ってレール溝が設けられるとともに、
前記本止め具に、前記レール溝にスライド自在に収容されるスライダが設けられ、
前記係合部は、前記スライダの側部に出没自在に設けられ、かつ突出方向に付勢された係合爪によって構成され、
前記被係合部は、前記レール溝に沿って間隔おいて設けられ、かつ前記係合爪を係合可能な複数の係合溝によって構成され、
前記本止め具をスライド許容方向に操作した際には、前記係合爪が出没しつつ前記複数の係合溝を順送りに移動することにより、前記本止め具のスライド許容方向へのスライドが許容されるとともに、前記本止め具を逆方向に操作した際には、前記係合爪が前記係合溝に係合することにより、前記本止め具の逆方向へのスライドが阻止されるよう構成されてなる前項２に記載の本棚装置。
【００１６】
［３ａ］  前記棚板に本類並列方向に沿って一対のレール溝が設けられるとともに、
前記本止め具に、前記一対のレール溝にスライド自在に収容される一対のスライダが設けられ、
前記係合部は、前記一対のスライダの側部に出没自在に設けられ、かつ突出方向に付勢された一対の係合爪によって構成され、
前記被係合部は、前記一対のレール溝に沿ってそれぞれ間隔おいて設けられ、かつ前記一対の係合爪を係合可能な一対の複数の係合溝によって構成され、
前記本止め具をスライド許容方向に操作した際には、前記係合爪が出没しつつ前記複数の係合溝を順送りに移動することにより、前記本止め具のスライド許容方向へのスライドが許容されるとともに、前記本止め具を逆方向に操作した際には、前記係合爪が前記係合溝に係合することにより、前記本止め具の逆方向へのスライドが阻止されるよう構成されてなる前項２に記載の本棚装置。
【００１７】
［３ｂ］  前記係合爪は、前記本止め具がスライド許容方向に移動する際には、前記係合溝の開口縁部に押されて係合爪を没入させるカム辺と、逆方向に移動しようとした際には、前記係合溝の内面に係合する係止辺とを有する前項３又は３ａに記載の本棚装置。
【００１８】
［３ｃ］  前記カム辺は、本類並列方向に対し傾斜し、前記係止片は、本類並列方向に対し直交する前項３ｂに記載の本棚装置。
【００１９】
［４］  前記スライド制限解除手段は、その操作部として押込可能な操作ボタンを有し、
前記操作ボタンを押操作することによって、前記係合部及び前記被係合部間の係合が解除されるよう構成されてなる前項２又は３に記載の本棚装置。
【００２０】
［４ａ］  前記操作ボタンは、突出方向に付勢されてなる前項４に記載の本棚装置。
【００２１】
［４ｂ］  前記操作ボタンは、前記本止め具の両側に設けられてなる前項４に記載の本棚装置。
【００２２】
［５］  上下に間隔をおいて水平に配置される複数の水平板と、
上下に隣合う水平板間に垂直に設けられる一対の仕切板とを更に備え、
前記一対の仕切板のうち一方の仕切板の中間に、上方に向けて開放する上方切欠部が形成されるとともに、他方の仕切板の中間に、下方に向けて開放する下方切欠部が形成され、
前記一対の仕切板が、互いの切欠部を嵌合させることにより相欠き接合されて交差した状態に配置される一方、
前記複数の水平板によって前記棚板が構成され、
前記仕切板によって前記本掛止板が構成されてなる前項１ないし４のいずれかに記載の本棚装置。
【００２３】
［５ａ］  前記仕切板が本棚装置構成部材を支持するための構造材として構成されてなる前項５に記載の小物収納ラック。
【００２４】
［５ｂ］  前記水平板が３枚以上設けられるとともに、その水平板の各間に前記一対の仕切板がそれぞれ設けられ、
前記複数の水平板のうち、下端に位置する水平板が底板として構成され、上端に位置する水平板が天板として構成され、中間に位置する水平板が中間棚板として構成されてなる前項５に記載の本棚装置。
【００２５】
［５ｃ］  上下に隣合う水平板間に、前記仕切板によって仕切られた複数の収納部が形成されてなる前項５に記載の本棚装置。
【００２６】
［５ｄ］  タワー型のＤＶＤ（ＣＤ）ラックとして構成されてなる前項５ｂに記載の本棚装置。
【００２７】
［５ｅ］  前記複数の水平板のうち、上端の水平板を除く水平板によって棚板が構成されてなる前項５に記載の本棚装置。
【００２８】
［５ｆ］  小物収納ラックとして構成されてなる前項５に記載の本棚装置。
【発明の効果】
【００２９】
［１］の発明によれば、棚板上に併設されたＤＶＤ、ＣＤ、書物等の本類に対し、本止め具を抑止方向に移動させて本類に押し当てるだけの操作で、本類を確実に抑止して安定した状態に保持することができる。
【００３０】
［２］［３］の発明によれば、簡単な構成で、上記の効果をより確実に得ることができる。
【００３１】
［４］の発明によれば、スライド制限手段によるスライド阻止を簡単な操作で解除することができる。
【００３２】
［５］の発明によれば、上記の効果を有するＤＶＤラック、ＣＤラック等の小物収納ラックを確実に提供することができる。
【発明を実施するための最良の形態】
【００３３】
図１及び図２はこの発明の実施形態である本棚装置が適用されたタワー型のＤＶＤラック（ＣＤラック）を示す図である。両図に示すようにこのＤＶＤラックは、ベース板（１）と、複数の棚板（５）と、天板（３）と、複数の縦横仕切板（８）（９）とを基本的な構成要素として備えている。
【００３４】
このＤＶＤラックは、ベース板（１）上に棚板（５）を設置して底板（２）とし、その底板（２）上に一対の仕切板（８）（９）と、天板（３）とを交互に組み付けていき、最上段の仕切板（８）（９）上に天板（３）を組み付けて形成されるものである。そして底板（２）、棚板（５）及び天板（３）の各間に、仕切板（８）（９）によって仕切られた４つの収納部（５５）が形成されるとともに、各収納部（５５）に、ＤＶＤ、ＣＤ、書物等の本類を起立姿勢で並列配置に収納するものである。
【００３５】
なお本実施形態において、各仕切板（８）（９）はＤＶＤラックの構造材を兼用するものであり、仕切板（８）（９）によって棚板（５）や天板（３）等のラック構成部材を支持できるように構成されている。
【００３６】
以下、本ラックの各構成部品ごとに詳細に説明する。まず図３に示すようにベース板（１）は、平面方形のプラスチック成形品をもって構成されている。ベース板（１）の上面には、矢符Ｐ方向に示す前後方向に沿って縦突条部（１８）が設けられるとともに、矢符Ｑ方向に示す両側方向に沿って横突条部（１９）が設けられており、縦横両突条部（１８）（１９）によって平面視十字状の突条部が形成されている。各突条部（１８）（１９）には、その長さ方向に沿って所定の間隔おきに切込部（１２）（１２）が形成されている。更にベース板（１）の上面における４つのコーナ部には、そのコーナ部に沿う形状の突部（１３）が形成されている。
【００３７】
図２及び図３に示すように、ベース板（１）の外周部には、突条部（１８）（１９）の外端部に対応して、連結部材収納用凹段部（１４）が設けられるとともに、この凹段部（１４）内の両側には、断面円形の係合突起（１５）がそれぞれ形成されている。
【００３８】
ベース板（１）の裏面側には平面視円形の設置板（１０）が設けられており、ベース板（１）は、設置板（１０）の中心に設けられた回転軸を介して回転自在に設けられている。これにより、設置板（１０）を床等の設置面に設置した状態においては、ベース板（１）が、設置板（１０）の中心回転軸を支点にして垂直軸（回転軸）回りに回転できるよう構成されている。なおベース板（１）には、設置板（１０）上を走行自在な車輪（１０ａ）が設けられており、この車輪（１０ａ）が走行することによって、ベース板（１）の設置板（１０）に対する回転動作がスムーズに行われるよう構成されている。
【００３９】
図３及び図４に示すように、棚板（５）は、平面視方形のプラスチック成形品をもって構成されている。棚板（５）の上面には、矢符Ｐ方向に示す前後方向に沿って縦仕切溝（５８ａ）が形成されるとともに、矢符Ｑ方向に示す両側方向に沿って横仕切溝（５９ａ）が形成されている。本実施形態では、棚板上面が、縦横両仕切溝（５８ａ）（５９ａ）からなる十字溝によって均等に仕切られて、上記収納部（５５）に対応して４つの収納部対応部分（５５）が設けられている。なお本明細書においては、この収納部対応部分（５５）と、収納部（５５）とは、符号過多による混乱を避けるために同一の符号を用いて説明する。
【００４０】
また各仕切溝（５８ａ）（５９ａ）の内部には溝長さ方向に沿って所定の間隔おきに位置決め用差込片（５２ａ）が形成されている。
【００４１】
一方図５に示すように、棚板（５）の裏面（下面）には、上面側の縦横の仕切溝（５８ａ）（５９ａ）に対応して、縦横に仕切溝（５８ｂ）（５９ｂ）が形成されるとともに、各溝内には長さ方向に沿って所定の間隔おきに位置決め用差込片（５２ｂ）が形成されている。
【００４２】
棚板（５）の外周端部には、表裏において対応する仕切溝（５８ａ）（５８ｂ）（５９ａ）（５９ｂ）の外端部間を連通するようにして、連結部材収納用凹段溝（５４）がそれぞれ形成されている。
【００４３】
棚板（５）の上面における収納部対応部分（５５）には、左右（両側）方向Ｑに延びる一対のレール溝（６１）（６１）がそれぞれ形成されている。
【００４４】
図６ないし図９に示すように、各レール溝（６１）は、一方側（内側）の内壁面（６１ｂ）が垂直に形成されるとともに、他方側（外側）の内壁面（６１ａ）が傾斜して形成されており、上部開口が底面よりも幅が狭い変形アリ溝形状に形成されている。
【００４５】
レール溝（６１）内における傾斜内壁面（６１ａ）には、溝長さ方向に対し直交する方向に延びる複数の係合溝（６４）がレール溝（６１）の長さ方向に沿って所定間隔おきに並列配置に形成されている。
【００４６】
また棚板（５）の上面には、一対のレール溝（６１）（６１）における縦仕切溝（５８ａ）側の端部に対応して、レール溝（６１）（６１）よりも幅広の本止め具設置用凹部（６２）が形成されている。この本止め具設置用凹部（６２）は、後述の本止め具（７）のスライダ（７１）を上端開口部から収容できるよう構成されるとともに、上記レール溝（６１）（６１）の端部に連通接続されている。
【００４７】
一方、本実施形態においては、棚板（５）上にブックエンド等の本止め具（７）が設けられる。
【００４８】
図６ないし図１１に示すように本止め具（７）は、プラスチック成形品からなり、板状の本止め具本体（７０）と、その下部両側に一対のスライダ（７１）（７１）が設けられている。このスライダ（７１）は、正面視形状が上記レール溝（６１）の断面形状に対応して形成されている。
【００４９】
図９及び図１０に示すように、各スライダ（７１）の両側部には、爪部材取付凹部（７１ａ）が設けられるとともに、この凹部（７１ａ）内には、爪部材（７３）が両側方向にスライド自在に取り付けられている。爪部材（７３）の先端部には、係合爪（７４）が形成されており、爪部材（７３）がスライドすることによって、係合爪（７４）が外側方に向けて突出可能に構成されている。爪部材（７３）は、図示しないばね等の付勢手段によって、外側方に突出する方向に付勢されており、自然状態においては、係合爪（７４）が、スライダ（７１）の外側端縁よりも側方に突出するように配置されている。
【００５０】
係合爪（７４）は、図１０に示すように、後述するスライダ（７１）のスライド方向に対し傾斜するカム辺（７４ａ）と、スライド方向に対し直交する係止辺（７４ｂ）とを有する平面視三角形状に形成されている。
【００５１】
また本止め具（７）の両側縁部には、外側方に対し出没自在な爪操作ボタン（７５）（７５）が設けられている。この爪操作ボタン（７５）（７５）は、上記係合爪（７４）と連携されており、爪操作ボタン（７５）の没入動作に連動して、係合爪（７４）が没入するよう構成されている。
【００５２】
また爪操作ボタン（７５）及び係合爪（７４）は、図示しないばね等の付勢手段によって、外側方に突出する方向に付勢されており、自然状態においては、両係合爪（７４）（７４）が両スライダ（７１）（７１）の外側端縁よりも側方に突出するとともに、両爪操作ボタン（７５）（７５）が本止め具（７）の両側縁部よりも側方に突出した状態に配置される。
【００５３】
そして、両爪操作ボタン（７５）（７５）を上記付勢手段の付勢力に抗して、本止め具（７）の両側から摘むようにそれぞれ押し込んだ際には、両係合爪（７４）（７４）が両スライダ（７１）（７１）の外側端縁よりも内方にそれぞれ没入する一方、爪操作ボタン（７５）（７５）への押込操作を解除すると、上記付勢手段の付勢力に従って、両係合爪（７４）（７４）及び両爪操作ボタン（７５）（７５）が外側方に突出するよう構成されている。
【００５４】
この本止め具（７）が、棚板（５）に一対のレール溝（６１）（６１）を介して取り付けられる。すなわち爪操作ボタン（７５）（７５）を押し込んで係合爪（７４）（７４）を没入させた状態で、本止め具（７）をその両スライダ（７１）（７１）を一対のレール溝（６１）（６１）の本止め具設置用凹部（６２）（６２）に収納して棚板（５）上に配置する。更にその状態で両スライダ（７１）（７１）を、本止め具設置用凹部（６２）（６２）にその上端開口部から収容した後、レール溝（６１）（６１）内に移動させて収容する。更に本止め具（７）をレール溝（６１）（６１）に沿って移動させて適当な位置で、爪操作ボタン（７５）（７５）に対する押込操作を解除する。これにより係合爪（７４）（７４）が側方に突出すると同時に、対応する係合溝（６４）に係合する。この係合によって、本止め具（７）は位置を安定させた状態で垂直に配置される。更に本止め具（７）はそのスライダ（７１）（７１）の傾斜した上面が、レール溝（６１）（６１）の傾斜内壁面（６１ａ）（６１ａ）に係合することにより、スライダ（７１）（７１）がレール溝（６１）（６１）に対し上方への抜止めが図られて、本止め具（７）が棚板（５）から脱外されるのが防止される。その上更に、図７及び図８の断面視状態において、スライダ（７１）（７１）の外周面のほぼ全域がレール溝（６１）（６１）の内周面に接合するように、スライダ（７１）（７１）がレール溝（６１）（６１）に適合しているため、スライダ（７１）（７１）のがたつきが防止され、本止め具（７）をより一層安定させた状態に保持することができ、本止め具（７）の位置ずれや転倒を確実に防止することができる。
【００５５】
またこの取付状態において、本止め具（７）をレール溝（６１）に沿って外側、つまり縦仕切溝（５８ａ）から遠ざかる方向（逆方向）に操作しようとしても、係合爪（７４）の係止辺（７４ｂ）が係合溝（６４）の内壁面に係合することにより、同方向の移動が阻止される。逆に本止め具（７）を内側、つまり縦仕切溝（５８ａ）に近づく方向（スライド許容方向）に操作した際には、係合爪（７４）が、そのカム辺（７４ａ）に沿って、係合溝（６４）の開口縁部により押し込まれて没入することにより、係合爪（７４）の係合溝（６４）への係合が解除され、係合爪（７４）が隣りの係合溝（６４）の位置まで移動し、そこで係合爪（６４）が突出して隣りの係合溝（６４）に係合する。従って本止め具（７）を内側に操作した際には、係合爪（７４）が係合溝（６４）を順送りに移動することによって、本止め具（７）を同方向に移動させることができる。
【００５６】
このように本止め具（７）は、レール溝（６１）に沿って外側への移動が阻止されて、内側への移動のみが許容されている。
【００５７】
なお、爪操作ボタン（７５）（７５）を押し込んで係合爪（７４）（７４）を没入させた際には、係合爪（７４）（７４）の係合溝（６４）（６４）への係合が解除されるため、本止め具（７）を、レール溝（６１）に沿って外側へスムーズに移動させることができ、言うまでもなく内側へもスムーズに移動させることができる。
【００５８】
ここで本実施形態においては、係合爪（７４）によって係合部が構成されるとともに、係合溝（６４）によって被係合部が構成される。更に係合爪（７４）及び係合溝（６４）によってスライド制限手段が構成される。また爪操作ボタン（７５）によって操作部が構成される。更に爪操作ボタン（７５）と、そのボタン（７５）の押操作によって係合爪（７４）を没入させる連携機構とによってスライド制限解除手段が構成される。
【００５９】
図４に示すように、仕切板（８）（９）は、前後方向Ｐに沿って配置される縦仕切板（８）と、左右方向Ｑに沿って配置される横仕切板（９）とを有し、縦横の仕切板によって一対の仕切板が構成されている。
【００６０】
仕切板（８）（９）は、板状のプラスチック成形品をもって構成されている。各仕切板は、板厚方向に分割された形状を有する２つの射出成形品が組み合わされて接合固定されることによって形成されている。
【００６１】
縦仕切板（８）は、縦軸中心線に沿って下向きに開口する下側切欠部（８１）が形成されている。この切欠部（８１）は仕切板（８）の上下寸法に対し１／２の長さに調整されるとともに、切欠部（８１）の幅は、横仕切板（９）の板厚とほぼ同じに設定されている。
【００６２】
また横仕切板（９）は、縦軸中心線に沿って上向きに開口する上側切欠部（９１）が形成されている。この切欠部（９１）は仕切板（９）の上下寸法に対し１／２の長さに調整されるとともに、切欠部（９１）の幅は、縦仕切板（８）の板厚とほぼ同じに設定されている。
【００６３】
両仕切板（８）（９）の上端縁及び下端縁には、各端縁に沿って所定の間隔おきに切込部（８２）（９２）が形成されている。
【００６４】
また両仕切板（８）（９）の上下両端縁の両側端部には、連結部材収納用凹段部（８４）（９４）が設けられるとともに、各凹段部（８４）（９４）内には、断面円形の係合突起（８５）（９５）がそれぞれ形成されている。
【００６５】
そして両仕切板（８）（９）を平面視において十字状に配置するようにして、縦仕切板（８）における下側切欠部（８１）の部分を、横仕切板（９）における上側切欠部（９１）の部分に嵌め込んで相欠き状態に組み合わせることにより、両仕切板（８）（９）が、その上端縁及び下端縁を互いに同一平面内に配置させて、十字状に交差した仮組み状態に固定されるものである。
【００６６】
図１及び図２に示すように天板（３）は、平明視方形のプラスチック成形品をもって構成されている。この天板（３）の下面側には、前後方向Ｐに沿って縦仕切溝（図示省略）が形成されるとともに、両側方向Ｑに沿って横仕切溝（図示省略）が形成され、両仕切溝によって十字溝が形成されている。
【００６７】
また天板（３）の外周端部には、上記十字溝の外端部に対応する位置に、連結部材収納用凹段部（３４）がそれぞれ形成されている。各凹段部（３４）内には、断面円形の係合突起（３５）が形成されている。
【００６８】
図１２ないし図１４に示すように、ベース板（１）、棚板（５）、仕切板（８）（９）及び天板（３）を連結するための連結部材（４）は、弾性を有するプラスチック成形品を持もって構成されており、溝状の上側係合フック（４５ａ）及び下側係合フック（４５ｂ）とを有している。上側係合フック（４５ａ）は、仕切板（８）（９）の係合突起（８５）（９５）及び天板（３）の係合突起（３２）を外嵌して上下方向に係合できるよう構成されるとともに、下側係合フック（４５ｂ）は、仕切板（８）（９）の係合突起（８５）（９５）及びベース板（１）の係合突起（１５）を外嵌して上下方向に係合できるよう構成されている。
【００６９】
本実施形態のＤＶＤラックは、以上の構成部品を備えており、これらを用いてラックを組み立てるには、まずベース板（１）上に、複数の棚板（５）のうちいずれか１枚の棚板（５）を載置する。このときベース板（１）の上面における縦横の突条部（１８）（１９）及びコーナ部の凸部（１３）を、棚板（５）の裏面における縦横の仕切溝（５８ｂ）（５９ｂ）及びコーナ部周壁内面側にそれぞれ嵌め込むとともに、仕切溝（５８ｂ）（５９ｂ）内の差込片（５２ｂ）を、突条部（１８）（１９）の切込部（１２）に差し込む。これによりベース板（１）上に棚板（５）が正確に位置決めされた状態に載置されて、底板（２）が形成される。
【００７０】
なお本実施形態においては、ベース板（１）上に載置されてベース板（１）と共に底板（２）を構成する棚板（５）を下端棚板と称し、それ以外の棚板（５）を中間棚板と称する。
【００７１】
次に一対の仕切板（８）（９）を互いの切欠部（８１）（９１）を嵌合させるように相欠き接合して、十字状に交差した状態に仮組みする。
【００７２】
こうして十字状に仮組みした後、一対の仕切板（８）（９）を上記底板（２）に組み付ける。すなわち縦横一対の仕切板（８）（９）の下端部を、底板（２）における棚板（５）の縦横の仕切溝（５８ａ）（５９ａ）に嵌め込むとともに、仕切溝（５８ａ）（５９ａ）内の差込片（５２ａ）を、仕切板（８）（９）の下端側切込部（８２）（９２）に差し込む。これにより底板（２）の棚板（５）上に、一対の仕切板（８）（９）が正確に位置決めされた状態で垂直に配置される。
【００７３】
続いて連結部材（４）を用いてベース板（１）、下端棚板（５）及び一対の仕切板（８）（９）を連結する。すなわち図１３に示すように、一対の仕切板（８）（９）の外側端の４箇所において、一対の仕切板（８）（９）の下側係合突起（８５）（９５）に、連結部材（４）の上側係合フック（４５ａ）を弾性嵌合して係合した後、連結部材（４）の下側を押し込んで、図１３及び図１４の括弧付き符号に示すように下側係合フック（４５ｂ）をベース板（１）の係合突起（１５）に弾性嵌合して係合する。これにより連結部材（４）を介して、ベース板（１）及び一対の仕切板（８）（９）が互いに引き合うように組み付けられて、下端棚板（５）がベース板（１）及び一対の仕切板（８）（９）によって挟持されて、ベース板（１）、下端棚板（５）及び仕切板（８）（９）が互いに固定される。なおこの固定状態において、連結部材（４）は、ベース板（１）の凹段部（１４）、棚板（５）の凹段溝（５４）及び仕切板（８）（９）の下側凹段部（８４）（９４）に適合状態に収納されることにより、連結部材（４）の外表面を、底板（２）及び仕切板（８）（９）の外側面に対し面一に配置できて、良好な美観を得ることができる。
【００７４】
次に底板（２）に組み付けられた一対の仕切板（８）（９）上に中間棚板（５）を載置する。このとき一対の仕切板（８）（９）の上端部を、中間棚板（５）の下面側における縦横の仕切溝（５８ｂ）（５９ｂ）に嵌め込むとともに、仕切溝（５８ｂ）（５９ｂ）内の差込片（５２ｂ）を、仕切板（８）（９）の上端側切込部（８２）（９２）に差し込む。これにより一対の仕切板（８）（９）上に中間棚板（５）が正確に位置決めされた状態で水平に配置される。
【００７５】
続いて中間棚板（５）上に、交差状に仮組みした一対の仕切板（８）（９）を載置する。このとき一対の仕切板（８）（９）の下端部を、中間棚板（５）の上面側における縦横の切込溝（５８ａ）（５９ａ）に嵌め込むとともに、仕切溝（５８ａ）（５９ａ）内の差込片（５２ａ）を、仕切板（８）（９）の下端側切込部（８２）（９２）に差し込む。これにより中間棚板（５）上に一対の仕切板（８）（９）が交差した状態で垂直に配置される。
【００７６】
次に中間棚板（５）を挟んで上下に隣合う一対の仕切板（８）（９）同士を連結部材（４）によって連結する。すなわち図１２ないし図１４に示すように、中間棚板（５）を挟んで上側の仕切板（８）（９）の外側端の４箇所において、仕切板（８）（９）の下側係合突起（８５）（９５）に、連結部材（４）の上側係合フック（４５ａ）を弾性嵌合して係合した後、連結部材（４）の下側を押し込んで、下側係合フック（４５ｂ）を、下側の仕切板（８）（９）における上側係合突起（８５）（９５）に弾性嵌合して係合する。これにより連結部材（４）を介して、上側及び下側の仕切板（８）（９）が互いに引き合うように組み付けられて、中間棚板（５）が上下の仕切板（８）（９）によって挟持され、上下の仕切板（８）（９）及び中間棚板（５）が互いに固定される。なおこの固定状態において、連結部材（４）は、上下の仕切板（８）（９）の凹段部（８４）（９４）及び中間棚板（５）の凹陥溝（５４）に適合状態に収納されることにより、連結部材（４）の外表面が、仕切板（８）（９）及び中間棚板（５）の外側面に対し面一に配置でき、良好な美観を得ることができる。
【００７７】
こうして中間棚板（５）及び一対の仕切板（８）（９）を交互に取り付けて、所定の段数まで組み立てた後、最上段の一対の仕切板（８）（９）上に天板（３）を載置する。このとき、仕切板（８）（９）の上端部を、天板（３）の下面側における十字溝（図示省略）に嵌め込むことにより、最上段の仕切板（８）（９）上に天板（３）を位置決め状態に配置する。
【００７８】
続いて、最上段の仕切板（８）（９）と天板（３）とを連結部材（４）を用いて連結する。すなわち図１３及び図１４の括弧付き符号に示すように、仕切板（８）（９）の外側端の４箇所において、天板（３）の係合突起（３５）に連結部材（４）の上側係合フック（４５ａ）を弾性嵌合して係合した後、連結部材（４）の下側を押し込んで、下側係合フック（４５ｂ）を、仕切板（８）（９）の上側係合突起（８５）（９５）に弾性嵌合して係合する。これにより連結部材（４）を介して、天板（３）及び仕切板（８）（９）が互いに引き合うように組み付けられて、天板（３）が仕切板（８）（９）の上端に固定される。
【００７９】
このようにＤＶＤラックを組み立ててから、上記したように本止め具（７）を棚板（５）に取り付ける。なお本止め具（７）は、予め棚板（５）に組み付けておいて、その本止め付き棚板（５）を用いて、ラックを組み立てていくようにしても良い。
【００８０】
このＤＶＤラックにおいては、底板（２）、中間棚板（５）及び天板（３）からなる水平板の各間が、一対の仕切板（８）（９）によって均等に４分割されて４つの収納部（５５）が形成される。そして各収納部（５５）にＤＶＤやＣＤ等のディスク（本類）を収納する際には、所望の収納部（５５）に対し棚板（５）上における縦仕切板（８）と本止め具（７）との間に、１ないし複数のディスクを起立姿勢（垂直姿勢）で並列に配置して、更に並列に配置された複数のディスクの並列方向一端側を縦仕切板（８）に掛止させる。そしてその状態で、本止め具（７）を縦仕切板（８）側に近づけるように移動させて、本止め具（７）によって並列配置のディスクの並列方向他端側を縦仕切板（８）側に抑圧することにより、複数のディスクを固定するものである。
【００８１】
このディスク固定操作時には、本止め具（７）は、上記したように縦仕切板（８）側（内側）への移動のみが許容されるように構成しているため、本止め具（７）を手で持ってそのまま内側に移動させてディスクに押し当てるだけで簡単に、ディスクを抑止してその状態に保持することができる。ここで本実施形態においては、縦仕切板（８）によって、並列配置された本類の並列方向一端側を掛止するための本掛止板が構成されるものである。
【００８２】
なお、本止め具（７）によるディスクへの抑圧を解除するには、上記したように本止め具（７）の爪操作ボタン（７５）（７５）を押し込んで係合を解除し、本止め具（７）を外側（抑止方向に対し逆方向）に移動させれば良い。
【００８３】
また本実施形態のＤＶＤラックにおいては、仕切板（８）（９）を、ラック構成部品を支持するための構造材として用いるものであるため、例えば支柱等の構造材を用いる必要がなく、その分、部品点数を削減できて、コストを削減することができる。更に本実施形態では、支柱等の長尺部材を必要としないため、組立前等の分解状態において、支柱等の長尺部材が存在せず、ラック構成部品をコンパクトにまとめて小さく包装できるので、分解状態での搬送や保管を容易に行うことができる。
【００８４】
その上更に、本実施形態においては、２枚の仕切板（８）（９）を相欠き接合して十字状に組み合わせるものであるため、仕切板（８）（９）の支持強度を向上させることができるとともに、形態も安定させることができ、構造材としてより確実に用いることができる。
【００８５】
また本実施形態においては、各段の各収納部（５５）は、周囲４方向のうち、前方（後方）及び側方の２箇所で、つまり半周にわたる広い範囲で開放されているため、各収納部（５５）の開放感が増す上更に、収納部（５５）内に収納される収納物自体の展示効果も増し、意匠性を一段と向上させることができる。
【００８６】
なお各収納部（５５）は、２方向が開放されているものの、各収納部（５５）に収納されるディスク等は、本止め具（７）によって確実に保持されるため、ディスク等が外部に脱外したりするような不具合を有効に防止することができる。
【００８７】
また本実施形態においては、上下に隣合う仕切板（８）（９）を連結部材（４）を介して連結して、棚板（５）を上下の仕切板（８）（９）により挟持することにより、棚板（５）に対し仕切板（８）（９）を固定するものである。つまり上下の仕切板（８）（９）間を固定すると同時に、仕切板（８）（９）を棚板（５）に固定することができるため、仕切板（８）（９）を棚板（５）に個々に連結する場合と比較して、連結箇所が少なくなり、組立作業を容易に行えるとともに、連結部材等の連結用部品数も少なくなり、コストの削減も図ることができる。
【００８８】
また本実施形態において、本止め具（７）は、本類抑止方向への移動は許容して、逆方向の移動は阻止するように構成しているため、棚上に併設されたＤＶＤやＣＤ等のディスクに対し、本止め具（７）を抑止方向に移動させてディスクに押し当てるだけの簡単な操作で、ディスク等の本類を確実に抑止して起立姿勢で並列配置に正確に保持でき、本類を安定させて収納することができる。
【００８９】
なお上記実施形態においては、３段タイプのＤＶＤラックを例に挙げて説明したが、それだけに限られず、本発明は、１段タイプ、２段タイプ、更には４段以上のタイプのラック（本棚装置）にも適用することができる。
【００９０】
また本発明においては、言うまでもなく、棚上に、ＤＶＤ、ＣＤ、書物等の本類の他に、飾り物や置物等を配置するようにしても良い。
【図面の簡単な説明】
【００９１】
【図１】この発明の実施形態の本棚装置が適用されたＤＶＤラックを示す斜視図である。
【図２】実施形態のＤＶＤをラックを連結部材を取り外した状態で示す正面図である。
【図３】実施形態のラックに適用された底板を分解して示す斜視図である。
【図４】実施形態のタックに適用された棚板及び仕切壁を分解して示す斜視図である。
【図５】実施形態の棚板を示す裏面図である。
【図６】実施形態の棚板における本止め具周辺を示す斜視図である。
【図７】実施形態の棚板における本止め具周辺を示す断面図である。
【図８】実施形態の棚板におけるレール溝部分を拡大して示す断面図である。
【図９】実施形態の棚板における本止め具周辺を示す裏面図である。
【図１０】実施形態の棚板におけるレール溝部分を拡大して示す裏面図である。
【図１１】本実施形態のラックに適用された本止め具の下面図である。
【図１２】実施形態のラックにおける連結部材周辺を分解して示す斜視図である。
【図１３】実施形態のラックにおける連結部材周辺を連結途中の状態で示す側面図である。
【図１４】実施形態のラックにおける連結部材周辺を連結完了状態で示す側面図である。
【符号の説明】
【００９２】
２…底板（水平板）
３…天板（水平板）
５…棚板（水平板）
６１…レール溝
６４…係合溝（被係合部）
７…本止め具
７１…スライダ
７４…係合爪（係合部）
７５…爪操作ボタン（操作ボタン）
８…縦仕切板（本掛止板）
８１…切欠部
９…横仕切板
９１…切欠部
【図２】
2006034862.tif 000003
【図３】
2006034862.tif 000004
【図４】
2006034862.tif 000005
【図５】
2006034862.tif 000006
【図６】
2006034862.tif 000007
【図７】
2006034862.tif 000008
【図８】
2006034862.tif 000009
【図９】
2006034862.tif 000010
【図１０】
2006034862.tif 000011
【図１１】
2006034862.tif 000012
【図１２】
2006034862.tif 000013
【図１３】
2006034862.tif 000014
【図１４】
2006034862.tif 000015
【図１】
2006034862.tif 000016